(57)【要約】【課題】  開口部Ｋの位置や方向を容易に変える。【解決手段】  室外機防雪フード４は、複数方向の外面に同じ形・同じ大きさのパーツ取り付け部を複数有し、必要に応じていずれかのパーツ取り付け部には同じ形・同じ大きさで開口部Ｋを有する開口部パーツ６を取り付け、残ったパーツ取り付け部には同じ形・同じ大きさで開口部のないフード部パーツ７を取り付けた。  これにより、開口部Ｋの位置は、例えば前後面のみならず左右面や天面にも自在に設けることが可能となり、施工状況において降雪の進入を最も防げる位置や騒音の発散を最も防げる位置に、パーツの種類や個数を変えて開口部Ｋを設定することができるようになる。また、開口部パーツ６とフード部パーツ７とを全て同じ形で同じ大きさとしていることにより標準パーツとして生産性を良くすることができ、室外機防雪フード４のコストを抑えることができる。【選択図】    図１
2005090918.tif 000002
【特許請求の範囲】
【請求項１】
室外機（１）の空気流通口（３）が雪によって塞がれるのを防止する室外機防雪フード（４）であり、
前記室外機防雪フード（４）は、複数方向の外面に同じ形・同じ大きさのパーツ取り付け部を複数有し、
必要に応じていずれかの前記パーツ取り付け部には前記パーツ取り付け部と同じ形・同じ大きさで開口部（Ｋ）を有する開口部パーツ（６）を取り付け、
残った前記パーツ取り付け部には前記パーツ取り付け部と同じ形・同じ大きさで開口部のないフード部パーツ（７）を取り付けて構成することを特徴する室外機防雪フード。
【請求項２】
前記開口部パーツ（６）は、外形形状面に対して前記開口部（Ｋ）を側方に向けると共に、前記同じ形を同じ正多角形としたことを特徴する請求項１に記載の室外機防雪フード。
【請求項３】
前記開口部パーツ（６）は、外形形状面に対して前記開口部（Ｋ）を側方に向けると共に、前記同じ形を円形としたことを特徴する請求項１に記載の室外機防雪フード。
【請求項４】
室外機（１）の空気流通口（３）が雪によって塞がれるのを防止する室外機防雪フード（４）であり、
前記室外機防雪フード（４）は、複数の同じ正多角形・同じ大きさのパーツ取り付け部の組み合せで外形を構成しており、
必要に応じていずれかの前記パーツ取り付け部には前記パーツ取り付け部と同じ正多角形・同じ大きさで外形形状面に対して側方に向けた開口部（Ｋ）を有する開口部パーツ（６）を取り付け、
残った前記パーツ取り付け部には前記パーツ取り付け部と同じ正多角形・同じ大きさで開口部のないフード部パーツ（７）を取り付けて構成することを特徴する室外機防雪フード。
【請求項５】
室外機（１）の空気流通口（３）が雪によって塞がれるのを防止する室外機防雪フード（４）であり、
前記室外機防雪フード（４）は、同じ正多角形・同じ大きさで外形形状面に対して側方に向けた開口部（Ｋ）を有する開口部パーツ（６）と、その開口部パーツ（６）と同じ正多角形・同じ大きさで開口部のないフード部パーツ（７）とを複数組み合せて構成していることを特徴する室外機防雪フード。
【請求項６】
請求項１ないし請求項５のいずれかに記載の室外機防雪フード（４）を備えたことを特徴する室外機。
【発明の詳細な説明】
【技術分野】
【０００１】
本発明は、空調装置などの室外機の空気流通口が雪によって塞がれるのを防止する防雪フード、およびその防雪フードを備えた室外機に関するものであり、特にフード開口部の位置と方向とを自由に変えることのできる室外機防雪フードおよび防雪フードを備えた室外機に関するものである。
【背景技術】
【０００２】
空調装置などの室外機は、その空気流通口が降雪によって塞がれたり目詰まりを起こしたりすると機能しなくなるため、降雪地域では室外機を防雪フードなどによって保護している。そのような室外機防雪フードおよび防雪フードを備えた室外機の従来技術として、特許文献１に示されるものなどがある。
【０００３】
図６は、従来の室外機１の天面部と、室外機防雪フード４の一例を示す斜視図である。室外機１には天面と側面との夫々に図示した空気流通口３と図示しない空気流通口とがあるので、天面部と側面部との夫々に図示した防雪フード４と図示しない防雪フードとが取り付けられる。図６の例では、天面部の防雪フード４は前面もしくは後面のいずれかに開口部Ｋが向けられると共に、側面部の図示しない防雪フードは下方に開口部が向けられて、降雪が室外機１の内部に進入して空気流通口を塞いだり目詰まりさせたりするのを防いでいる。尚、上記した符号は後述する本発明の実施形態での構成と対応するものである。
【特許文献１】特開２００１−３４９５７９号公報
【発明の開示】
【発明が解決しようとする課題】
【０００４】
しかしながら、上記従来の防雪フードで、特に室外機１天面部の空気流通口３を覆う防雪フード４においては、図６にも示したように一般的には開口部Ｋが一定方向、もしくは前後方向にしか向きを変えられないことより、施工状況によっては降雪の進入を充分に防ぎきれないという問題点がある。
【０００５】
また、この防雪フード４は、室外機１内に内蔵された圧縮機駆動用の図示しないエンジンの運転音や、天面側の空気流通口３に設けられた図示しない室外ファンの送風音を遮って、騒音を低減するという効果もあるが、上記したように開口部Ｋが一定方向、もしくは前後方向にしか向きを変えられないことより、施工状況によっては周辺の住宅などに対する騒音の発散を充分に抑えきれないという問題点がある。
【０００６】
そのため従来は、施工業者が施工状況毎に専用防雪フードを設計・製作・施工しなければならないという問題点もある。本発明は、上記従来の問題点に鑑みて成されたものであり、その目的は、フードの開口部の位置や方向を容易に変えることのできる室外機防雪フードおよび防雪フードを備えた室外機を提供することにある。
【課題を解決するための手段】
【０００７】
本発明は上記目的を達成するために、請求項１ないし請求項６に記載の技術的手段を採用する。すなわち、請求項１に記載の発明では、室外機（１）の空気流通口（３）が雪によって塞がれるのを防止する室外機防雪フード（４）であり、室外機防雪フード（４）は、複数方向の外面に同じ形・同じ大きさのパーツ取り付け部を複数有し、必要に応じていずれかのパーツ取り付け部にはパーツ取り付け部と同じ形・同じ大きさで開口部（Ｋ）を有する開口部パーツ（６）を取り付け、残ったパーツ取り付け部にはパーツ取り付け部と同じ形・同じ大きさで開口部のないフード部パーツ（７）を取り付けて構成することを特徴としている。
【０００８】
本発明は開口部（Ｋ）の位置という点に着目して成されたものであり、後述する骨組み（５）によって複数方向の外面にパーツ取り付け部を複数設け、その複数方向を向いた複数のパーツ取り付け部に、同じ形・同じ大きさとした開口部（Ｋ）を有する開口部パーツ（６）と開口部のないフード部パーツ（７）とを自在に組み付けられる構造としたものである。そのために、パーツ取り付け部と開口部パーツ（６）とフード部パーツ（７）とは全て同じ形で同じ大きさとしている。
【０００９】
この請求項１に記載の発明によれば、開口部（Ｋ）の位置は、例えば前後面のみならず左右面や天面にも自在に設けることが可能となり、施工状況において降雪の進入を最も防げる位置や騒音の発散を最も防げる位置に、パーツの種類や個数を変えて開口部（Ｋ）を設定することができるようになる。また、開口部パーツ（６）とフード部パーツ（７）とを全て同じ形で同じ大きさとしていることにより標準パーツとして生産性を良くすることができ、室外機防雪フード（４）のコストを抑えることができる。
【００１０】
また、請求項２に記載の発明では、開口部パーツ（６）は、外形形状面に対して開口部（Ｋ）を側方に向けると共に、前述での同じ形を同じ正多角形（正多辺形）としたことを特徴としている。本発明は開口部（Ｋ）の方向という点に着目して成されたものであり、パーツ取り付け部と開口部パーツ（６）とフード部パーツ（７）とを全て同じ大きさの正三角形や正方形などとしている。
【００１１】
この請求項２に記載の発明によれば、従来一定方向もしくは室外機防雪フード（４）全体の付け替えによってせいぜい前後方向にしか向きを変えられなかった開口部（Ｋ）の方向が、外形形状面に対して側方に向けてパーツ取り付け部への取り付け方を変えるだけで正多角形（正多辺形）の角の数（辺の数）だけ方向を可変することができることとなる。例えば、正三角形なら３方向に、正方形なら４方向に可変できる。これにより、施工状況において降雪の進入を最も防げる方向や騒音の発散を最も防げる方向に開口部（Ｋ）を設定することができることとなる。また、この方向の自由度と請求項１の位置・個数の自由度とを組み合せることにより、より最適な開口部（Ｋ）の設定ができることとなる。
【００１２】
また、請求項３に記載の発明では、開口部パーツ（６）は、外形形状面に対して開口部（Ｋ）を側方に向けると共に、前述での同じ形を円形としたことを特徴としている。本案も開口部（Ｋ）の方向という点に着目して成されたものであり、パーツ取り付け部と開口部パーツ（６）とフード部パーツ（７）とを全て同じ大きさの円形としている。この請求項３に記載の発明によれば、開口部パーツ（６）の固定方法に方向性を設けなければ、外形形状面に対して側方に向けた開口部（Ｋ）は３６０°自由な方向に可変することができることとなる。これにより、施工状況において降雪の進入を最も防げる方向や騒音の発散を最も防げる方向に開口部（Ｋ）をより自由に設定することができることとなる。
【００１３】
また、請求項４に記載の発明では、室外機（１）の空気流通口（３）が雪によって塞がれるのを防止する室外機防雪フード（４）であり、室外機防雪フード（４）は、複数の同じ正多角形・同じ大きさのパーツ取り付け部の組み合せで外形を構成しており、必要に応じていずれかのパーツ取り付け部にはパーツ取り付け部と同じ正多角形・同じ大きさで外形形状面に対して側方に向けた開口部（Ｋ）を有する開口部パーツ（６）を取り付け、残ったパーツ取り付け部にはパーツ取り付け部と同じ正多角形・同じ大きさで開口部のないフード部パーツ（７）を取り付けて構成することを特徴としている。
【００１４】
本発明は、上記請求項１と請求項２とに示した発想を組み合せたものであり、最初から複数の同じ正多角形で同じ大きさのパーツ取り付け部の組み合せだけで外形を構成したものである。この請求項４に記載の発明によれば、開口部（Ｋ）の位置は、例えば前後面のみならず左右面や天面にも自在に設けることが可能となる。また、開口部（Ｋ）の方向は、上記のパーツ取り付け部への取り付け方だけで正多角形（正多辺形）の角の数（辺の数）だけ方向を可変することができる。
【００１５】
これらにより、施工状況において降雪の進入を最も防げる位置・個数・方向や騒音の発散を最も防げる位置・個数・方向に開口部（Ｋ）を設定することができることとなる。また、開口部パーツ（６）とフード部パーツ（７）とを全て同じ形で同じ大きさとしていることにより標準パーツとして生産性を良くすることができ、室外機防雪フード（４）のコストを抑えることができる。
【００１６】
また、請求項５に記載の発明では、室外機（１）の空気流通口（３）が雪によって塞がれるのを防止する室外機防雪フード（４）であり、室外機防雪フード（４）は、同じ正多角形・同じ大きさで外形形状面に対して側方に向けた開口部（Ｋ）を有する開口部パーツ（６）と、その開口部パーツ（６）と同じ正多角形・同じ大きさで開口部のないフード部パーツ（７）とを複数組み合せて構成していることを特徴としている。
【００１７】
本発明も、上記請求項１と請求項２とに示した発想を組み合せたものであり、本発明では更に複数の同じ正多角形で同じ大きさとした開口部（Ｋ）を有する開口部パーツ（６）と開口部のないフード部パーツ（７）との組み合せだけで外形を構成したものである。そのため、開口部パーツ（６）とフード部パーツ（７）とは夫々各辺で接続できる構造となっている。この請求項５に記載の発明によっても、開口部（Ｋ）の位置は、例えば前後面のみならず左右面や天面にも自在に設けることが可能となる。また、開口部（Ｋ）の方向は、上記パーツの組み合せ方だけで正多角形（正多辺形）の角の数（辺の数）だけ方向を可変することができる。
【００１８】
これらによっても、施工状況において降雪の進入を最も防げる位置・個数・方向や騒音の発散を最も防げる位置・個数・方向に開口部（Ｋ）を設定することができることとなる。また、同じ形で同じ大きさの開口部パーツ（６）とフード部パーツ（７）とだけで構成しているため、標準パーツとして生産性を良くすることができるうえ、骨組み（５）も要らないことより室外機防雪フード（４）のコストをより抑えることができる。
【００１９】
また、請求項６に記載の発明では、室外機（１）に請求項１ないし請求項５のいずれかに記載の室外機防雪フード（４）を備えたことを特徴としている。この請求項７に記載の発明によれば、施工状況において降雪の進入を最も防げる位置・個数・方向や騒音の発散を最も防げる位置・個数・方向に開口部（Ｋ）を設定することのできる室外機（１）とすることができる。尚、上記各手段の括弧内の符号は、後述する実施形態に記載の具体的手段との対応関係を示す一例である。
【発明を実施するための最良の形態】
【００２０】
（第１実施形態）
以下、本発明の実施の形態について図面を用いて説明する。図１は、本発明の第１実施形態における室外機１の斜視図と、室外機防雪フード４の分解斜視図である。尚、本実施形態での室外機１は、空調装置の室外機として説明する。室外機１の内部には、冷凍サイクルの冷媒を圧縮するための冷媒圧縮機、圧縮された冷媒を冷却するための冷媒放熱器、その冷媒放熱器に冷却用空気を流通させるための送風ファン（これらいずれも図示せず）や、先の冷媒圧縮機を駆動するためのエンジン２などが内蔵されている。
【００２１】
そして、室外機１の側面や天面には、先の冷媒放熱器を流通する空気が吸入・排出されるための空気流通口が設けられている。尚、本実施形態では室外機１の天面部に設けられた空気流通口３が雪によって塞がれるのを防止する防雪フード４について説明する。まず、
防雪フード４は、図１に示すようにアングルでフード骨組み５ａ（５）が組まれて室外機１の上に載せられる。
【００２２】
図１の実施形態では、前後・左右・天面と複数方向の外面に同じ正多角形（本実施形態では正方形）で同じ大きさのパーツ取り付け部を複数（前後に２つづつ・左右に１つづつ・天面に２つ）設けている。そして、必要に応じていずれかのパーツ取り付け部には、パーツ取り付け部と同じ形・同じ大きさで開口部Ｋを有する開口部パーツ６ａ（６）を取り付けるようになっている。尚、開口部パーツ６は、外形形状（本実施形態では正方形）面に対して開口部Ｋが側方を向くようになっている。
【００２３】
また残った開口部の要らないパーツ取り付け部には、パーツ取り付け部と同じ形・同じ大きさで開口部のないフード部パーツ７を取り付けて防雪フード４を構成している。これにより、現地での設置状況や周辺の住宅状況に応じて、開口部パーツ６ａとフード部パーツ７ａ（７）とを組み付ける位置と個数と向きとは、自由に組み合せることが可能である。
【００２４】
図２の（ａ）〜（ｃ）は、図１の室外機防雪フード４における開口部Ｋの位置・方向の自由度を説明する斜視図である。図において左右は同様のため、右半分だけで説明する。開口部パーツ６ａを（ａ）では前面に、（ｂ）では側面に、（ｃ）では天面に設け、夫々残りの面にはフード部パーツ７ａを組み付けている。また、開口部パーツ６ａは、各パーツ取り付け部に取り付ける際、開口部Ｋの方向を夫々の面で４方向から自由に選択することができる。このように、図２の左側半分や夫々の後面も含めて開口部Ｋを設ける位置と数と方向とを自在に可変することができる。
【００２５】
次に、本実施形態での特徴を説明する。まず、本室外機防雪フード４は、複数の同じ正方形・同じ大きさのパーツ取り付け部の組み合せで外形を構成しており、必要に応じていずれかのパーツ取り付け部にはパーツ取り付け部と同じ正方形・同じ大きさで外形形状面に対して側方に向けた開口部Ｋを有する開口部パーツ６ａを取り付け、残ったパーツ取り付け部にはパーツ取り付け部と同じ正方角形・同じ大きさで開口部のないフード部パーツ７ａを取り付けて構成している。
【００２６】
これは、複数の同じ正方形で同じ大きさのパーツ取り付け部の組み合せだけで外形を構成したものである。これによっても開口部Ｋの位置は、前後面のみならず左右面や天面にも自在に設けることが可能となる。また、開口部Ｋの方向は、上記のパーツ取り付け部への取り付け方だけで正方形の角の数（辺の数）だけ、本実施形態では４方向に可変することができる。
【００２７】
これらにより、施工状況において降雪の進入を最も防げる位置・個数・方向や騒音の発散を最も防げる位置・個数・方向に開口部Ｋ）を設定することができることとなる。また、開口部パーツ６ａとフード部パーツ７ａとを全て同じ形で同じ大きさとしていることにより標準パーツとして生産性を良くすることができ、室外機防雪フード４のコストを抑えることができる。
【００２８】
また、上記の防雪フード４を室外機１に備えている。これによれば、施工状況において降雪の進入を最も防げる位置・個数・方向や騒音の発散を最も防げる位置・個数・方向に開口部Ｋを設定することのできる室外機１とすることができる。
【００２９】
（第２実施形態）
図３は、本発明の第２実施形態における室外機防雪フード４の分解斜視図である。上述した第１実施形態とは、複数の同じ三角形で同じ大きさのパーツ取り付け部の組み合せだけで外形を構成した点が異なる。ちなみに５ｂはフード骨組みである。これによっても開口部Ｋの位置は、前後面のみならず左右面にも自在に設けることが可能となる。また、開口部Ｋの方向は、上記のパーツ取り付け部への取り付け方だけで三角形の角の数（辺の数）だけ、本実施形態では３方向に可変することができる。
【００３０】
これらにより、施工状況において降雪の進入を最も防げる位置・個数・方向や騒音の発散を最も防げる位置・個数・方向に開口部Ｋを設定することができることとなる。また、開口部パーツ６ｂとフード部パーツ７ｂとを全て同じ形で同じ大きさとしていることにより標準パーツとして生産性を良くすることができ、室外機防雪フード４のコストを抑えることができる。また、この三角形の防雪フード４は上面に雪が積もりにくくため、非常につぶれにくくなるという効果がある。
【００３１】
（第３実施形態）
図４は、本発明の第３実施形態における室外機防雪フード４の部分分解斜視図である。上述した実施形態とは、複数の同じ正八角形で同じ大きさのパーツ取り付け部で外面を構成した点が異なる。ちなみに５ｃはフード骨組み、６ｃは開口部パーツ、７ｃはフード部パーツである。これによっても開口部Ｋの位置は、前後面のみならず左右面や天面にも自在に設けることが可能となる。
【００３２】
また、開口部Ｋの方向は、上記のパーツ取り付け部への取り付け方だけで八角形の角の数（辺の数）だけ、本実施形態では８方向に可変することができる。このように、本発明での正多角形は、上記で例に示した三角・四角・八角以外にも五角・六角・七角などであっても良く、いずれでも上述した第１実施形態と同様の効果が得られる。
【００３３】
（第４実施形態）
図５は、本発明の第４実施形態における室外機防雪フード４の部分分解斜視図である。上述した実施形態とは、複数の同じ円形で同じ大きさのパーツ取り付け部で外面を構成した点が異なる。ちなみに、フード骨組みとフード部パーツとは第１実施形態と同じ正方形の５ａ・７ａとし、開口部パーツ６は正方形に丸穴の開いたベースパーツ６ｄと外形が円形で側方を向いた開口部Ｋを持つ開口パーツ６ｅとで構成されている。尚、フード部パーツ７も正方形に丸穴の開いたベースパーツ６ｄと外形が円形で開口部を持たないフードパーツ（図示せず）とで構成しても良い。
【００３４】
これも開口部Ｋの方向という点に着目して成されたものであり、パーツ取り付け部と開口部パーツ６とフード部パーツ７とを全て同じ大きさの円形とすることにより、開口部パーツ６ｅの固定方法に方向性を設けなければ、外形形状面に対して側方に向けた開口部Ｋは３６０°自由な方向に可変することができることとなる。これにより、施工状況において降雪の進入を最も防げる方向や騒音の発散を最も防げる方向に開口部Ｋをより自由に設定することができることとなる。
【００３５】
（その他の実施形態）
上述の実施形態では、室外機１の天面部に設けられた空気流通口３が雪によって塞がれるのを防止する防雪フード４について説明したが、本発明はこれに限定されるものではなく、室外機１の側面部に設けられた空気流通口が雪によって塞がれるのを防止する防接フードに本発明を適用しても良い。
【００３６】
また、図示しないが、室外機防雪フード４は、同じ正多角形・同じ大きさで外形形状面に対して側方に向けた開口部Ｋを有する開口部パーツ６と、その開口部パーツ６と同じ正多角形・同じ大きさで開口部のないフード部パーツ７とを複数組み合せて構成するものであっても良い。
【００３７】
これは更に複数の同じ正多角形で同じ大きさとした開口部Ｋを有する開口部パーツ６と開口部のないフード部パーツ７との組み合せだけで外形を構成するものである。そのため、開口部パーツ６とフード部パーツ７とは夫々各辺で接続できる構造となっている。これによっても、開口部Ｋの位置は、例えば前後面のみならず左右面や天面にも自在に設けることが可能となる。また、開口部Ｋの方向は、上記パーツの組み合せ方だけで正多角形（正多辺形）の角の数（辺の数）だけ方向を可変することができる。
【００３８】
これによっても、施工状況において降雪の進入を最も防げる位置・個数・方向や騒音の発散を最も防げる位置・個数・方向に開口部Ｋを設定することができることとなる。また、同じ形で同じ大きさの開口部パーツ６とフード部パーツ７とだけで構成しているため、標準パーツとして生産性を良くすることができるうえ、フード骨組み５も要らないことより室外機防雪フード４のコストをより抑えることができる。
【図面の簡単な説明】
【００３９】
【図１】本発明の第１実施形態における室外機１の斜視図と、室外機防雪フード４の分解斜視図である。
【図２】（ａ）〜（ｃ）とも図１の室外機防雪フード４における開口部Ｋの位置・方向の自由度を説明する斜視図である。
【図３】本発明の第２実施形態における室外機防雪フード４の分解斜視図である。
【図４】本発明の第３実施形態における室外機防雪フード４の部分分解斜視図である。
【図５】本発明の第４実施形態における室外機防雪フード４の部分分解斜視図である。
【図６】従来の室外機１の天面部と、室外機防雪フード４の一例を示す斜視図である。
【符号の説明】
【００４０】
１…室外機
３…空気流通口
４…室外機防雪フード
６…開口部パーツ
７…フード部パーツ
Ｋ…開口部
【図１】
2005090918.tif 000003
【図２】
2005090918.tif 000004
【図３】
2005090918.tif 000005
【図４】
2005090918.tif 000006
【図５】
2005090918.tif 000007
【図６】
2005090918.tif 000008